(57)【特許請求の範囲】
【請求項１】
第一の側部が任意の形状で突出し、かつ第一の側部とは反対側である第二の側部が垂直平面形状に形成された容器部（１）と、
前記容器部（１）の上端に連通する状態で設けられた吐出部（２）と、
前記容器部（１）の前記第二の側部を取り囲むフランジ（１’）と、
前記フランジ（１’）の外面に付着して前記容器部（１）を密封する接着部（３’）と、前記吐出部（２）の上端に形成されて前記容器部（１）から内容物を吐出する吐出用未接着部（４）とを含むカバー紙（３）と、
を備える再密封が可能なブリスター包装容器であって、
前記吐出部（２）上端に近接してフランジ（１’）に水平に凹入構成され、後述する折畳みシーリング片（２０）の折畳み時における折れ曲げ線を設定しかつ、折畳み抵抗を減少させるための折畳み誘導溝（１０）と、
前記折畳み誘導溝（１０）の上側に構成される折畳みシーリング片（２０）と、
前記折畳みシーリング片（２０）の両端に突出構成され、内側上端に引掛り突部（２２）を備える一組の引掛け片（２１）と、
前記折畳み誘導溝（１０）の両端下側に位置する状態でフランジ（１’）の縁部に構成され、前記引掛り突部（２２）が選択的に引掛って支持されるための一組の引掛り縁部（３０）と、
前記引掛け片（２１）の下側縁部で折畳みシーリング片（２０）の内側に向かって前記折畳み誘導溝（１０）とほぼ平行に形成され、引掛け片（２１）に、撓みに対する弾性的な変形力を与えるための切込部（４０）と、
前記折畳みシーリング片（２０）の上部に一体で延長構成され、引掛り穴（５１）を有した環片（５０）を各々含んでなることを特徴とする、再密封が可能なブリスター包装容器。
【請求項２】
前記折畳み誘導溝（１０）は切込部（４０）の下方に位置するように形成されて、折畳みシーリング片（２０）の折畳み時、内容物の吐出通路である吐出用未接着部（４）の中間部分が折れて折畳まれるようになることを特徴とする、請求項１に記載の再密封が可能なブリスター包装容器。
【請求項３】
前記カバー紙（３）は、一軸延伸フィルムで構成される外層（３Ａ）、印刷層（３Ｂ）、中間遮断層（３Ｃ）、無延伸又は一軸延伸フィルムで構成される内層（３Ｄ）で、各々積層構成することを特徴とする、請求項１に記載の再密封が可能なブリスター包装容器。
【請求項４】
前記外層（３Ａ）を構成する素材が、一軸延伸ポリエステルフィルム又は一軸延伸ポリプロピレンフィルムであることを特徴とする、請求項３に記載の再密封が可能なブリスター包装容器。
【請求項５】
前記内層（３Ｄ）を構成する素材が、熱接着が可能な無延伸又は一軸延伸ポリエチレンフィルム又はポリプロピレンフィルムであることを特徴とする、請求項３に記載の再密封が可能なブリスター包装容器。
【請求項６】
前記中間遮断層（３Ｃ）を構成する素材が、アルミニウムホイル、エチレンビニルアルコール共重合体フィルム、又はポリアクリロニトリルフィルムであることを特徴とする、請求項３に記載の再密封が可能なブリスター包装容器。
【発明の詳細な説明】
【技術分野】
【０００１】
本発明は、プラスチックフィルム又はシートを熱成形して、一定の空間の容器部を作り、その空間内に薬品やその他の製品を入れ、容器部のフランジには密閉機能を有するようにカバー紙を付着して構成されるブリスターパッケージ（Ｂｌｉｓｔｅｒ  ｐａｃｋａｇｅ）において、反復的な再密封が可能で、開封された吐出口の密閉性を改善したブリスター包装容器に関する。さらに具体的には、容器部の上側フランジを延長し、そこに折畳み誘導溝が備えられた折畳みシーリング片を構成して、内容物の使用後に折畳みシーリング片を折畳んで吐出口を密閉遮断することはもちろん、容器部のフランジと折畳みシーリング片の両側に、各々引掛り縁部及びこれに選択的に引っ掛る引掛り突部を有した引掛け片をつけて、必要に応じて折畳み状態の折畳みシーリング片が折畳み状態を持続させることができるようにロックするようにし、折畳みシーリング片と引掛け片の下辺連結部には、一定の深さで内向きに切込部をつけて、引掛け片の撓みに対する弾性的な変形力を向上させて、ロック時に引掛り突部の外力減少と作動の円滑さ及びカバー紙の初期切欠を誘導することができるようにし、折畳みシーリング片の上部には引掛り穴を有した環部をおくようにして、容器の陳列や保管に便宜性を与えるようにしたものである。
【背景技術】
【０００２】
通常、ブリスターパッケージ（Ｂｌｉｓｔｅｒ  ｐａｃｋａｇｅ）は、熱可塑性プラスチックフィルム又はシートでの包装方法の一種であり、包装しようとする商品の形状に応じて製作した金型を成形機に設置し、圧空又は真空成形したプラスチックフィルム又はシートの膨らんだ部分に内容物又は製品を入れた後、成形されたフィルム又はシートの平たい部分（フランジ部分）のみをヒートシール（ｈｅａｔ  ｓｅａｌ）又は接着する方法であって、食用品、日用品、雑貨、錠剤薬品、化粧品等の包装に広く使用している。
【０００３】
一方、各種ソース類等の食品や、化粧品のような液状やクリーム状又はワックス状の内容物も、ブリスターパッケージを利用して包装しており、これに適用されるブリスターパッケージは、任意の形状を有する融出された容器の一側端部には、製造工程上、容器と同一素材で構成され必要時に内部を開放して内容物を吐出させるために構成される単管形の吐出部を連通状態でつけており、容器の縁部は平板状のフランジ部で構成し、容器の開口部とフランジ部には容器の開口部をカバーして密閉するように多層で構成される封合用のカバー紙を接着構成してなった構成である。
【０００４】
しかし、このような基本的な構成を有するブリスターパッケージにおいて、内容物を吐出させるための従来の構造は、成形されたプラスチックフィルム又はシートの吐出部を横に横切る状態で、フランジ部の両端部までつづく切取線をつけ、内容物の取出し時に切取線を基準にして折ることにより、吐出部が切断されて入口が開放して内容物を取出すようにした構造と、容器のフランジに付着するカバー紙を、フランジと接着して密封機能をするようにする接着部と、カバー紙との分離除去時の破紙を容易にするために、フランジと接着せず分離可能にする未接着部とが構成されるようにし、接着部の切開部位が前記吐出部を直線で貫通するように切取線を付けるようにする構成がある。
【０００５】
一方、容器内に収容された内容物の量は、一回用として全て消耗するものもあるが、大部分は複数回使用することができる量を収容するものであるため、吐出部を開放した後も、使用後に入口をシーリングすることができる構造が要求される。
【０００６】
前記のような既存の吐出部の開封構造は、切取線によって吐出部に接するカバー紙を切取れば、半円形の吐出部が完全に開放されて内容物の吐出は円滑になされるが、開放された入口を選択的にふさぐことができる構造がなく、別途の栓等を準備してふさがなければならない煩わしさがあり、もし入口を密封しない場合には、外部の空気や異物が入口を通って容器内に浸透し、内容物の変色及び変臭等の変質を誘発するようになったり、又は硬化させて使用寿命の短縮と副作用を誘発する危険が濃く、品質の信頼性が低下する弊害がある。
【０００７】
また、開放された入口を通って内容物が漏れる恐れが多く、吐出部周辺を汚染して美観を阻害する問題があり、また注意力を持って容器をきちんと立てておかなければならない等の煩わしさが出るのであった。
【０００８】
前記のような問題を解決しようと、本出願人の韓国登録特許第２０−０３１６７６１号公報の構造では、容器のフランジに付着して密閉機能をするカバー紙を接着部と分離するための未接着部が構成されるように接着させるにおいて、カバー紙の接着部内に容器の吐出部と通じる状態で一定面積の吐出用未接着部を人為的に構成すると共に、前記未接着部に、容器の長さ方向と直交し切開部位が前記吐出用未接着部を直線で貫通するように誘導するための切取線を構成するようにして、平板型フランジ上に内容物が吐出されることができる入口が設けられるようにして、容器の押圧と押圧解除に伴って吐出用未接着部が強制的に開いて内容物を吐出したり、吐出用未接着部が元の状態にぴんと引っ張られて平面を維持し、フランジ上に密着するようにして自動的に入口を閉鎖させるようにすることにより、内容物のシーリング性向上を追求することができる開封された吐出口のシーリング性を改善した構造が知られていた。
【０００９】
しかし前記のような本出願人の先出願発明では、次のような問題点によって改善の余地があったのである。
【００１０】
第一、内容物を取出すために、フランジで分離した未接着部を切り取って開封された吐出口は、内容物の必要な量の取出し後に容器自らの弾性復帰力によって吐出用未接着部をぴんと引っ張って吐出口を密閉するようになるのであるが、これは吐出された内容物の残留物がそのまま吐出口の入口周辺に付いて外部に露出する関係から、容器の外観が汚くなり、露出した内容物の硬化及び酸敗のおそれが多くて、後の使用時に一々入口部分の内容物を除去しなければならない煩わしさと共に、露出汚染した内容物が残りの内部の全体の内容物まで汚染させる恐れが大きくて非衛生的であった。
【００１１】
第二、弾性復帰力のみによって密閉される吐出口は、吐出口の入口側の残存内容物によって吐出口の完全な密着密閉が難しく、事実上入口が微かに開いている状態となり、容器の移動や所持等、容器に別途の外力が加えられる場合、内容物の漏れを防止することが難しく、吐出口を追加的に密閉させるための補強密閉構造が切実に要求される問題があった。
【先行技術文献】
【特許文献】
【００１２】
【特許文献１】韓国登録特許第２０−０３１６７６１号公報
【発明の概要】
【発明が解決しようとする課題】
【００１３】
本発明は、上述したような問題点を解決するためになされたものである。
【００１４】
本発明の目的は、内容物の使用後、折畳みシーリング片を折畳んで、一次的に密閉された吐出口を追加的に密閉遮断することができるようにすることにより、吐出口の密閉力を補強し、吐出口周辺の内容物をカバーして外観をきれいに維持することができるブリスター包装容器の吐出口シーリング構造を提供するためのものである。
【００１５】
また本発明は、引掛け片が引掛り縁を介して選択的にロックされるようにすることにより、折畳みシーリング片が折畳み状態を持続することが可能なようにし、容器の携帯等による外力の付与時にも内容物の漏れを完璧に遮断することができるブリスター包装容器の吐出口シーリング構造を提供するためのものである。
【００１６】
また本発明は、切込部を介してロック時の引掛り突部への外力減少と作動の円滑さ、及びカバー紙の初期切欠を誘導することができるブリスター包装容器の吐出口シーリング構造を提供するためのものである。
【課題を解決するための手段】
【００１７】
前記の目的を達成するために、本発明は、容器部の上側フランジを延長させ、これに折畳み誘導溝が備えられた折畳みシーリング片を構成することをすることを特徴とする。
【００１８】
また本発明は、容器部のフランジと折畳みシーリング片の両側に、各々引掛り縁部及びここに選択的に引掛かる引掛り突部を有した引掛け片を構成することをすることを特徴とする。
【００１９】
また本発明は、折畳みシーリング片と引掛け片の下辺連結部に一定の深さで内向きに切込部をおき、引掛け片に、撓みに対する弾性流動性を与えるように構成することを特徴とする。
【発明の効果】
【００２０】
以上のような本発明は、既存の食品、医薬品、化粧品の少量包装に主に使用されているパウチ（サシェ）又はブリスター包装の場合には、一度使用すると再び密封することが不可能で、一回の使用後に大部分廃棄しなければならないが、再密封が可能なブリスターパッケージを使用することにより、数回にわたって分けて使用することができて、使用便宜性を高め環境負荷を低減することができる。
【００２１】
また折畳み可能な折畳みシーリング片を介して、内容物の使用後に開封された吐出口を追加的に密閉カバーするようになることによって、吐出口の密閉力を補強し、吐出口周辺の内容物をカバーして外観をきれいに維持することができる。
【００２２】
また本発明は、容器部のフランジと折畳みシーリング片の両側に各々引掛り縁部及びこれに選択的に掛かる引掛り突部を有した引掛け片をつけることにより、折畳みシーリング片が折畳み状態を持続することが可能で、容器の携帯等に伴う外力付与時にも内容物の漏れを完璧に遮断することができる効果がある。
【００２３】
また本発明は、切込部を介して引掛け片の弾性的な変形が円滑なようにすることにより、ロック動作時の引掛け片の撓みや折曲等の変形が円滑なようにして、引掛け片のロック動作が迅速簡便なようにするのはもちろん、ロックやアンロック時に引掛り突部に加えられる外力が減少して該当部位の耐久性が向上し、また吐出口の開封のためのカバー紙の初期切欠位置を設定する機能によって、カバー紙の切欠が円滑かつ均一になされることができる効果がある。
【図面の簡単な説明】
【００２４】
【図１】本発明の容器の一構成例を示す斜視図である。
【図２】本発明の容器の正面例示図である。
【図３】本発明の容器の背面例示図である。
【図４】本発明容器の内容物吐出状態を示す作動状態図である。
【図５】本発明の一要部である折畳みシーリング片を折畳んだ状態を示す側面例示図である。
【図６】折畳みシーリング片が折畳まれた状態での引掛け片のロック状態を示す正面例示図である。
【図７】図３のＡ−Ａ線断面例示図である。
【図８】本発明に適用されたカバー紙の構成を示す断面例示図である。
【図９】本発明の他の構成例として、複数個の容器を一体で横連結した状態を示す正面例示図である。
【図１０】図９の構造で折畳みシーリング片を折畳んだ状態を示す正面例示である。
【発明を実施するための形態】
【００２５】
図１は、本発明の容器の一構成例を示す斜視図である。
【００２６】
以下、添付の図面に基づいて、本発明の構成を詳細に説明すれば次のとおりである。
【００２７】
本発明は、任意形状を有する融出された容器部１の上側端部に単管形の吐出部２をつけ、容器部１のフランジ１’に付着するカバー紙３には、フランジ１’と接着されて密封機能をする接着部３’と、カバー紙３の分離除去時に破紙を容易にするために未接着状態で構成される未接着部３”、及び容器部１の吐出部２と連通する状態で構成される一定面積の吐出用未接着部４が備えられる公知の構造において、
前記吐出部２上端に近接してフランジ１’に横に凹入構成され、後述する折畳みシーリング片２０の折畳み時、折れラインの設定と抵抗を減少させるための折畳み誘導溝１０と、
前記折畳み誘導溝１０の上側に構成される折畳みシーリング片２０と、
前記折畳みシーリング片２０の両端に突出構成され、内側上端に引掛り突部２２を備える一組の引掛け片２１と、
前記折畳み誘導溝１０の両端下側に位置する状態でフランジ１’の縁部に構成され、前記引掛り突部２２が選択的に引掛って支持されるための一組の引掛り縁部３０と、
前記引掛け片２１の下側縁部で折畳みシーリング片２０の内側に向かって前記折畳み誘導溝１０とほぼ平行に形成され、引掛け片２１に、撓みに対する弾性的な変形力を与えるための切込部４０と、
前記折畳みシーリング片２０の上部に一体で延長構成され、引掛り穴５１を有した環片５０を各々含んでなるものである。
【００２８】
このように構成される本発明の作用を詳細に説明すれば、次のとおりである。
【００２９】
本発明が適用される容器は、図３のように容器部１の吐出部２を吐出用未接着部４と連結する状態に突出して構成し、この吐出用未接着部１０が接着部３’の内部に位置して吐出用未接着部４の周りに接着部３’が構成されるようにすることにより、容器の未開封時に接着部３’が吐出用未接着部４を完全に囲むようにして内容物が流出することを防止するようになる。
【００３０】
このような状態で、容器部１内の内容物を取出すために、図３及び図７のように、引掛け片２１で未接着状態に分離されたカバー紙３の未接着部３”の一端をつかんで引っぱれば、未接着部３”の切開部位は、折畳みシーリング片２０の内部まで構成される切込部４０に沿って破れながら、切込部４０とつながる接着部３’及び吐出用未接着部４を続けて切欠させ、最後まで引っぱれば折畳みシーリング片２０から完全に分離する。
【００３１】
この状態では、容器部１を押す前は、実線のように吐出用未接着部４が折畳みシーリング片２０上に密着して、切開された吐出口を密封させている状態を維持することにより、内容物の流出防止はもちろん外部の空気や異物の流入が遮断される状態である。
【００３２】
このような状態で、内容物を取出すために図４のように容器部１を押してやれば、容器の収縮に伴って、内容物は切開された吐出用未接着部４に移動しながら吐出用未接着部４を強制的に押し開けて吐出するようになるのである。
【００３３】
一方、希望する量の内容物が取出されて、容器部１の押しを解除すれば、内容物の吐出圧力が消滅し、容器自体の弾性復帰力によって吐出用未接着部４をぴんと引っ張るようになるものであるため、吐出用未接着部４が折畳みシーリング片２０上に密着して開封された吐出口をある程度密閉するようになるが、吐出されなかった内容物が吐出用未接着部４内に残存することによって閉鎖状態が不完全となり、これにより密閉がちゃんとされずに空気と異物の接触が可能な状態となる。
【００３４】
このような不完全な密閉状態を防止するために、本発明は、図５のように折畳みシーリング片２０を利用して追加的にシーリング性を補強するようになるもので、さらに詳しく説明すれば次のとおりである。
【００３５】
まず、引掛け片２１と環片５０が一体で構成された折畳みシーリング片２０をつかんだ状態で矢印方向に折ってやると、折畳みシーリング片２０は、折畳み誘導溝１０を中心に後に折れて折畳まれ、したがって折畳み誘導溝１０が中間を横切って通過するする状態で位置する未完全密閉された吐出用未接着部４は、中間部分が吐出方向の反対方向に折れて出口が密閉遮断される。
【００３６】
このように、折畳みシーリング片２０を完全に折って折畳むことにより、吐出用未接着部４を完璧に密封させ、出口周辺の汚染状態を完全にカバーして隠蔽した状態では、人為的な折畳み力を加えない状態でも折畳みシーリング片２０が元の位置に復帰して開かないように、折畳まれた位置を固定してやらなければならないところ、このときには、両引掛け片２１をつかんでちょっとねじって内側の引掛り突部２２を容器部１がある方へ押してやれば、図５ないし図６のように、引掛け片全体２１はフランジ１’の後ろ側に折畳まれた状態にあり、引掛り突部２２のみが引掛り縁部３０をこえて前にゆき、フランジ１’の前側に位置するようになることにより、両引掛け片２１が引掛り縁部３０に引っ掛かってロック状態になるものであるため、人為的に折畳み状態を解除する前には、折畳みシーリング片２０の折畳み状態を安定的に維持することができるようになる。
【００３７】
一方、図９ないし図１０は、本発明の他の構成例を示すものである。
【００３８】
一度に複数個の内容物を同時に吐出させて使用する場合に適するように、異種の内容物を収容する複数個の容器部１を一つのユニットに連結構成したもので、各容器部１ごとに２つずつの引掛り縁部３０と引掛り突部２２が備えられるもので、作用、効果は図１での単一容器部の構造と同様なことは勿論である。
【００３９】
特別に制限するためのものではないが、本発明において、前記カバー紙３は、一軸延伸フィルムで構成される外層３Ａ、印刷層３Ｂ、中間遮断層３Ｃ、無延伸又は一軸延伸フィルムで構成される内層３Ｄで、各々積層構成することが好ましい。
【００４０】
特に、前記外層３Ａを構成する素材は、透明性が優れ機械的性質が優れた一軸延伸フィルムが好ましく、その例としては、一軸延伸ポリエステルフィルム、一軸延伸ポリプロピレンフィルム等がある，
【００４１】
前記内層３Ｄを構成する素材は、熱接着が可能な無延伸フィルム又は一軸延伸フィルムを使用することが好ましい。その好ましい例としては、無延伸又は一軸延伸ポリエチレンフィルム、無延伸又は一軸延伸ポリプロピレンフィルム等がある。
【００４２】
前記中間遮断層３Ｃを構成する素材としては、内容物の保護のための遮断性を有するアルミニウムホイルや遮断性合成樹脂フィルムを使用するのが好ましい。その好ましい例としては、アルミニウムホイル、エチレンビニルアルコール共重合体フィルム、ポリアクリロニトリルフィルム等がある。
【００４３】
以上では、本発明の実施例を説明したが、本発明が属する技術分野で通常の知識を有する者が本発明の技術的思想を逸脱しない範囲内で変更及び変形したものも、本発明の権利範囲に属することは当然である。
【符号の説明】
【００４４】
１：容器部
１’：フランジ
２：吐出部
３：カバー紙
３’：接着部
３”：未接着部
４：吐出用未接着部
１０：折畳み誘導溝
２０：折畳みシーリング片
２１：引掛け片
２２：引掛り突部
３０：引掛り縁部
４０：切込部
５０：環片
５１：引掛り穴
【図１】
0006044048.tif 000002
【図２】
0006044048.tif 000003
【図３】
0006044048.tif 000004
【図４】
0006044048.tif 000005
【図５】
0006044048.tif 000006
【図６】
0006044048.tif 000007
【図７】
0006044048.tif 000008
【図８】
0006044048.tif 000009
【図９】
0006044048.tif 000010
【図１０】
0006044048.tif 000011